【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
近心側および遠心側を有するブラケット本体であって、前記ブラケット本体の前記近心側から前記遠心側に延在するアーチワイヤスロットと、前記ブラケット本体の中に延在する近心チャネルと、前記ブラケット本体の中に延在する遠心チャネルと、前記近心チャネルと前記遠心チャネルとの間で前記ブラケット本体の中に延在する中央チャネルとを備える、ブラケット本体と、
前記中央チャネル床から延在する係止突起と、
遠心アーム本体および遠心フィンガを備える遠心アームと、近心アーム本体および近心フィンガを備える近心アームと、中央アームバーによって連結された第１の中央アーム本体および第２の中央アーム本体を備える中央アームと、前記第１の中央アーム本体と、前記第２の中央アーム本体と、中央開口部を画定する前記中央アームバーとを備える、ばねクリップと、
を備え、
前記係止突起は前記中央開口部内に受容され、前記ばねクリップが開放位置と閉鎖位置との間で移動可能であり、前記開放位置では、前記アーチワイヤスロットが非閉塞であり、前記閉鎖位置では、前記遠心フィンガ、前記近心フィンガ、および前記中央アームバーが前記アーチワイヤスロットを閉塞するように前記アーチワイヤスロットの中に、かつ前記アーチワイヤスロットにわたって延在する、
自己結紮式ブラケット。
【請求項２】
前記ブラケット本体の上に固定され、かつ前記遠心チャネルおよび前記近心チャネルを少なくとも部分的に画定する、少なくとも１つのブラケットキャップを更に備える、請求項１に記載の自己結紮式ブラケット。
【請求項３】
前記少なくとも１つのブラケットキャップは、前記ブラケット本体と一体的に形成され、かつ前記遠心チャネルを少なくとも部分的に画定する遠心ブラケットキャップと、前記ブラケット本体と一体的に形成され、かつ前記近心チャネルを少なくとも部分的に画定する近心ブラケットキャップとを備える、請求項２に記載の自己結紮式ブラケット。
【請求項４】
前記少なくとも１つのブラケットキャップは、前記遠心チャネル、中央チャネル、および近心チャネルにわたって前記ブラケット本体に固定された単一のブラケットキャップである、請求項２に記載の自己結紮式ブラケット。
【請求項５】
前記ばねクリップは、前記中央開口部および前記中央チャネルの上に固定された前記ブラケットキャップを貫通して延在する前記係止突起によって、前記遠心チャネル、近心チャネル、および中央チャネル内に移動可能に捕捉される、請求項１に記載の自己結紮式ブラケット。
【請求項６】
前記遠心フィンガ、近心フィンガ、および中央アームバーの近心−遠心寸法での組み合わせた幅は、前記近心−遠心寸法での前記アーチワイヤスロットの幅の少なくとも６０％である、請求項１〜５のいずれかに記載の自己結紮式ブラケット。
【請求項７】
前記遠心フィンガは、近心方向に延在する遠心突起を備え、前記近心フィンガは、前記遠心方向に延在する近心突起を備える、請求項１〜６のいずれかに記載の自己結紮式ブラケット。
【請求項８】
前記ブラケット本体は、
前記遠心チャネル内で遠心に延在する第１の歯肉側突起と、
前記近心チャネル内で近心に延在する第２の歯肉側突起と、
前記遠心チャネル内で遠心に延在する第１の咬合側突起と、
前記近心チャネル内で近心に延在する第２の咬合側突起と、
を更に備え、
前記遠心アームの前記遠心突起が前記第１の歯肉側突起および前記第１の咬合側突起と係合し、前記近心アームの前記近心突起が前記第２の歯肉側突起および前記第２の咬合側突起と係合して、前記開放位置で前記ばねクリップを拘束する、請求項１〜７のいずれかに記載の自己結紮式ブラケット。
【請求項９】
前記遠心フィンガ、近心フィンガ、および中央アームバーの前記近心−遠心寸法での組み合わせた幅は、前記近心−遠心寸法での前記アーチワイヤスロットの前記幅の少なくとも８５％である、請求項１〜８のいずれかに記載の自己結紮式ブラケット。
【請求項１０】
前記ばねクリップが閉鎖位置にあるとき、前記遠心フィンガ、前記近心フィンガ、および前記中央アームバーは、前記遠心フィンガと前記近心フィンガと前記中央アームバーと前記アーチワイヤスロットの底壁との間の距離が前記アーチワイヤスロット内に受容されるように構成された少なくとも１つのアーチワイヤの類似の寸法より小さいような位置まで前記アーチワイヤスロットの中に延在する、請求項１〜９のいずれかに記載の自己結紮式ブラケット。
【請求項１１】
前記ばねクリップは、
前記遠心アーム本体と前記遠心フィンガとの間の遠心移行部と、
前記近心アーム本体と前記近心フィンガとの間の近心移行部と、
前記第１の中央アーム本体と前記中央アームバーとの間の第１の中央移行部と、
前記第２の中央アーム本体と前記中央アームバーとの間の第２の中央移行部と、
を更に備え、
前記遠心アーム本体、近心アーム本体、第１の中央アーム本体、および第２の中央アーム本体がすべて、第１の平面内で同一平面であり、前記遠心フィンガ、近心フィンガ、および前記中央アームバーがすべて、第２の平面内で同一平面であり、前記第１の平面が前記第２の平面とは異なる、請求項１〜１０のいずれかに記載の自己結紮式ブラケット。
【請求項１２】
前記遠心チャネルと前記アーチワイヤスロットとの間の遠心肩部と、
前記近心チャネルと前記アーチワイヤスロットとの間の近心肩部と、
前記中央チャネルと前記アーチワイヤスロットとの間の中央肩部と、
を更に備え、
前記ばねクリップが閉鎖位置にあるとき、前記遠心移行部が前記遠心肩部と弾性的に係合し、前記近心移行部が前記近心肩部と弾性的に係合し、前記第１および第２の中央移行部が前記中央肩部と弾性的に係合して、前記閉鎖位置で前記ばねクリップを付勢する、請求項１１に記載の自己結紮式ブラケット。
【請求項１３】
前記係止突起は、前記アーチワイヤスロットから離れて配向したランプ部を備え、前記ランプ部が前記中央アームバーと係合して、前記中央アームバーを前記係止突起の上に移動させて、前記係止突起を前記ばねクリップの前記中央開口部内に位置決めするように構成される、請求項１〜1２のいずれかに記載の自己結紮式ブラケット。
【請求項１４】
前記中央開口部が前記アームバーによって画定された第１の端部と、前記第１の端部と対向する第２の端部とを備え、前記第２の端部が歯科矯正用工具によって係合されて、前記ばねクリップを前記閉鎖位置から前記開放位置に移動させるように構成され、
前記ばねクリップが前記開放位置にあるとき、前記第１の端部が前記係止突起と係合し、前記第２の端部が前記係止突起との係合がなく、前記ばねクリップが前記閉鎖位置にあるとき、前記第１の端部および前記第２の端部が両方とも、前記係止突起との係合がない、
ことを更に含む、請求項１〜1３のいずれかに記載の自己結紮式ブラケット。
【請求項１５】
前記遠心チャネル内で遠心に延在する第１の歯肉側突起と、
前記近心チャネル内で近心に延在する第２の歯肉側突起と、
前記遠心チャネル内で遠心に延在する第１の咬合側突起と、
前記近心チャネル内で近心に延在する第２の咬合側突起と、
を更に備え、
前記遠心アームの前記遠心突起が前記第１の歯肉側突起および前記第１の咬合側突起と係合し、前記近心アームの前記近心突起が前記第２の歯肉側突起および前記第２の咬合側突起と係合して、前記開放位置で前記ばねクリップを拘束する、請求項１〜１４のいずれかに記載の自己結紮式ブラケット。
【請求項１６】
前記遠心アーム本体と前記遠心フィンガとの間の遠心移行部と、
前記近心アーム本体と前記近心フィンガとの間の近心移行部と、
前記第１の中央アーム本体と前記中央アームバーとの間の第１の中央移行部と、
前記第２の中央アーム本体と前記中央アームバーとの間の第２の中央移行部と、
を更に備え、
前記ばねクリップが前記閉鎖位置にあるとき、前記遠心アーム本体、近心アーム本体、第１の中央アーム本体、および第２の中央アーム本体がすべて、第１の平面内で同一平面であり、前記遠心フィンガ、近心フィンガ、および前記中央アームバーがすべて、第２の平面内で同一平面であり、前記第１の平面が前記第２の平面とは異なり、
前記ばねクリップが前記開放位置にあるとき、前記中央アームバーによって画定された前記中央開口部の第１の端部が前記係止突起と係合し、前記第１および第２の移行部が前記中央アームバーを付勢してチャネル床または前記中央チャネルと係合する、請求項１〜１５のいずれかに記載の自己結紮式ブラケット。
【請求項１７】
前記ばねクリップが前記開放位置にあるとき、前記遠心フィンガが前記遠心チャネルの中に引き込まれ、前記近心フィンガが前記近心チャネルの中に引き込まれ、
前記遠心チャネルが前記遠心アームと係合して前記遠心アームを平坦化し、その結果、前記遠心アーム本体および前記遠心フィンガが前記遠心チャネル内で同一平面であり、前記近心チャネルが前記近心アームと係合して前記近心アームを平坦化し、その結果、前記近心アーム本体および前記近心フィンガが前記近心チャネル内で同一平面である、
ことを更に含む、請求項１〜１６のいずれかに記載の自己結紮式ブラケット。
【請求項１８】
前記ブラケット本体は、前記遠心側に遠心タイウィングと、前記近心側に近心タイウィングとを備え、前記遠心チャネルは前記ブラケット本体の前記遠心側から前記遠心タイウィングの中に延在し、前記近心チャネルは前記本体の前記近心側から前記近心タイウィングの中に延在し、前記中央チャネルは前記遠心タイウィングと前記近心タイウィングとの間の前記ブラケット本体の中に延在する、請求項１〜１７のいずれかに記載の自己結紮式ブラケット。